(57)【要約】      （修正有）【課題】家庭等に持ち帰ったレジ袋を、家庭内で再利用し易く保管しておくことができるレジ袋ストッカーを提供する。【解決手段】外部からレジ袋５０を引き出すレジ袋取り出し口１６を有して、内部にレジ袋５０を上下に重ねて複数枚収容可能な概略直方体状のストッカーと、ストッカー内に収容されたレジ袋５０をレジ袋取り出し口１６に向けて順次移動させる押圧バネ体１３と、を備え、ストッカー内のレジ袋５０をレジ袋取り出し口１６から順に取り出せるようにした。【選択図】図４
0003207883.tif 000002
【実用新案登録請求の範囲】
【請求項１】
外部からレジ袋を引き出すレジ袋取り出し口を有して、内部にレジ袋を上下に重ねて複数枚収容可能なレジ袋収容空間を有する概略直方体状のストッカーと、
前記ストッカー内に収容された前記レジ袋を前記レジ袋取り出し口に向けて順次移動させる押圧バネ体と、
を備えることを特徴とするレジ袋ストッカー。
【請求項２】
前記レジ袋取り出し口は、前記ストッカーの底面と側面の各１部を連続切欠して前記底面と前記側面とのコーナー部に形成されている、ことを特徴とする請求項１に記載のレジ袋ストッカー。
【請求項３】
前記ストッカーは、天面が開口し、底面と側面とのコーナー部に前記底面と前記側面の各１部を連続切欠して前記レジ袋取り出し口を設けた概略直方体状のストッカー本体と、前記ストッカー本体の前記開口を開閉自在に閉じる蓋体とを備え、前記押圧バネ体は、前記蓋体の下面に、前記下面から前記ストッカー本体の底面に突出して設けている、ことを特徴とする請求項１又は２に記載のレジ袋ストッカー。
【請求項４】
前記レジ袋取り出し口は、前記ストッカーの天面の一部を切欠して、前記天面に形成されている、ことを特徴とする請求項１に記載のレジ袋ストッカー。
【請求項５】
前記ストッカーは、天面が開口した概略直方体状のストッカー本体と、前記レジ袋取り出し口を有して前記ストッカー本体の前記開口を開閉自在に閉じる蓋体とを備え、前記押圧バネ体は、前ストッカー本体の底面に、前記底面から前記開口側に突出して設けている、ことを特徴とする請求項１又は４に記載のレジ袋ストッカー。
【請求項６】
前記ストッカーが、透明又は半透明の樹脂材で成形されている、ことを特徴とする請求項１から請求項５までのいずれか１項に記載のレジ袋ストッカー。
【考案の詳細な説明】
【技術分野】
【０００１】
本考案はレジ袋ストッカーに関するものであり、特に、スーパーマーケット等で買い物時に提供されるレジ袋を、一般の家庭等で再利用し易く保管しておくためのレジ袋ストッカーに関するものである。
【背景技術】
【０００２】
レジ袋は、スーパーマーケットを始めとして、多くの店舗で買い物時に提供されている。また、一般家庭では、買い物袋としての再利用やゴミ袋等として活用するため、多くのレジ袋が保管されている。
【０００３】
一般家庭でのレジ袋の保管の仕方は、レジ袋を単に丸めて袋に収納したり、キッチンの引き出し等に保管する方法がとられているが、見栄えが悪かったり、レジ袋保管のために引き出しの中に無駄な場所を要していた。
【０００４】
そこで、家庭内で乱雑に保管されているレジ袋を整理し、再利用しやすいようにする方策として、引き出し式の箱内にレジ袋を折り畳んで収納するレジ袋整理箱が知られている（例えば、特許文献１参照）。
【０００５】
特許文献１に記載のレジ袋整理箱は、外箱と、外箱内に引き出し可能に配設されているレジ袋収納箱と、錘を兼ねる型板、を備えている。そして、使用する場合は外箱からレジ袋収納箱を引き出し、その後、レジ袋整理箱内の型板を持ち上げてレジ袋の出し入れを行うようになっている。
【先行技術文献】
【特許文献】
【０００６】
【特許文献１】特開２０１３−１０６７５９号公報
【考案の概要】
【考案が解決しようとする課題】
【０００７】
しかしながら、特許文献１に記載されているレジ袋整理箱では、レジ袋を出し入れする場合に、外箱からレジ袋収納箱を引き出し、さらに型板を持ち上げてレジ袋の出し入れを行っている。このため、作業手順が煩雑で、作業性が悪いという問題点があった。
【０００８】
そこで、本考案は上記問題点に鑑みなされたものであり、家庭等に持ち帰ったレジ袋を、家庭内で再利用し易く保管しておくことができるレジ袋ストッカーを提供することを目的としている。
【課題を解決するための手段】
【０００９】
（１）本考案は上記目的を達成するために提案されたものであり、外部からレジ袋を引き出すレジ袋取り出し口を有して、内部にレジ袋を上下に重ねて複数枚収容可能なレジ袋収容空間を有する概略直方体状のストッカーと、前記ストッカー内に収容された前記レジ袋を前記レジ袋取り出し口に向けて順次移動させる押圧バネ体と、を備える、ことを特徴とする。
【００１０】
（２）上記（１）に記載の構成において、前記レジ袋取り出し口は、前記ストッカーの底面と側面の各１部を連続切欠して前記底面と前記側面とのコーナー部に形成されている、ことを特徴とする。
【００１１】
（３）上記（１）又は（２）に記載の構成において、前記ストッカーは、天面が開口し、底面と側面とのコーナー部に前記底面と前記側面の各１部を連続切欠して前記レジ袋取り出し口を設けた概略直方体状のストッカー本体と、前記ストッカー本体の前記開口を開閉自在に閉じる蓋体とを備え、前記押圧バネ体は、前記蓋体の下面に、前記下面から前記ストッカー本体の底面に突出して設けている、ことを特徴とする。
【００１２】
（４）上記（１）に記載の構成において、前記レジ袋取り出し口は、前記ストッカーの天面の一部を切欠して、前記天面に形成されている、ことを特徴とする。
【００１３】
（５）上記（１）又は（４）に記載の構成において、前記ストッカーは、天面が開口した概略直方体状のストッカー本体と、前記レジ袋取り出し口を有して前記ストッカー本体の前記開口を開閉自在に閉じる蓋体とを備え、前記押圧バネ体は、前ストッカー本体の底面に、前記底面から前記開口側に突出して設けている、ことを特徴とする。
【００１４】
（６）上記（１）から（５）までのいずれか１つの構成において、前記ストッカー本体と前記蓋体が、透明又は半透明の樹脂材で成形されている、ことを特徴とする。
【考案の効果】
【００１５】
本考案によれば、ストッカー本体の天面の開口を閉じている蓋体を外し、家庭内に持ち帰ったレジ袋をストッカー本体内に、順に上下に重ねて簡単に収容し、その後、蓋体でストッカー本体の開口を再び閉じると、綺麗な形でレジ袋を保管しておくことができる。また、レジ袋を再利用する時には、ストッカー本体内に収容されているレジ袋を、蓋体を開けずに、レジ袋取り出し口から一枚ずつ引き出して使用することができる。したがって、保管時の見栄えがよく、また、レジ袋の取り出し作業も簡単になる。
【図面の簡単な説明】
【００１６】
【図１】本考案の実施形態における第１実施例として示すレジ袋ストッカーの外観斜視図である。
【図２】ストッカー本体から蓋体を外して示す同上レジ袋ストッカーの斜視図である。
【図３】レジ袋を収容してない状態で示す図１のＡ−Ａ線断面図である。
【図４】レジ袋を収容している状態で示す図１のＡ−Ａ線断面図である。
【図５】同上レジ袋ストッカーにおけるストッカー本体側の構成を示し、（ａ）はその平面図、（ｂ）は（ａ）中の概略Ｂ-Ｂ線断面図である。
【図６】同上レジ袋ストッカーにおける蓋体側の構成を示し、（ａ）は裏面側から見たその平面図、（ｂ）は（ａ）中の概略Ｃ−Ｃ線断面図である。
【図７】同上レジ袋ストッカーに収容するレジ袋の折り畳み方の一例を説明する図であり、（ａ）は折り畳み前におけるレジ袋の平面図、（ｂ）は折り畳み後の平面図である。
【図８】本考案の実施形態における第２実施例として示すレジ袋ストッカーの外観斜視図である。
【図９】レジ袋を収容してない状態で示す図８のＢ−Ｂ線断面図である。
【図１０】レジ袋を収容してない状態で示す図８のＢ−Ｂ線断面図である。
【考案を実施するための形態】
【００１７】
以下、本考案を実施するための形態(以下、「実施形態」という)を、添付図面に基づいて詳細に説明する。なお、以下の説明では、上下や左右等の方向を示す表現は、絶対的なものではなく、本考案のレジ袋ストッカーの各部が描かれている姿勢である場合に適切であるが、その姿勢が変化した場合には姿勢の変化に応じて変更して解釈されるべきものである。また、実施形態の説明の全体を通して同じ要素には同じ番号を付している。
【００１８】
図１から図４は本考案に係るレジ袋ストッカー１０の第１実施例を示すものであり、図１はそのレジ袋ストッカー１０の外観斜視図、図２はストッカー本体１１から蓋体１２を外して示すレジ袋ストッカー１０の斜視図、図３はレジ袋５０を収容してない状態で示す図１のＡ−Ａ線断面図、図４はレジ袋５０を収容している状態で示す図１のＡ−Ａ線断面図である。
【００１９】
図１から図４において、レジ袋ストッカー１０は、ストッカー本体１１と、蓋体１２と、蓋体１２の内面側に取り付けられている押圧バネ体１３、等で構成されている。また、ストッカー本体１１と蓋体１２との間には、蓋体１２をストッカー本体１１に対して解除可能に掛け止め固定する掛け止め手段としてのバックル１８が、レジ袋ストッカー１０の前後に分かれて一対設けられている。なお、本実施例では掛け止め手段としてバックル１８を使用しているが、蓋体１２をストッカー本体１１に対して解除可能に掛け止め固定できる構造であれば、バックルでなく他の構造であってもよい。
【００２０】
図５は、ストッカー本体１１を示している。図１から図４に図５を加えてストッカー本体１１の構造を説明すると、ストッカー本体１１は、透明又は半透明の樹脂材を使用して成形されている。ストッカー本体１１は、天面（上面）が開口し、底面１１ａと前後の側面１１ｂ、１１ｃと左右の側面１１ｄ、１１ｅが閉じられ、天面に開口１４を有するレジ袋収容空間１５を内部に設けて概略直方体状の箱体として形成されている。ストッカー本体１１には、底面１１ａと前側の側面１１ｂの一部をそれぞれ左右方向（ストッカー本体１１の左右幅方向）に連続して切欠し、底面１１ａと前側の側面１１ｂとのコーナー部分に、レジ袋収容空間１５内からストッカー本体１１の外部に開口しているレジ袋取り出し口１６が設けられている。
【００２１】
また、ストッカー本体１１の底面１１ａの下面側には、図５の（ａ）に示すように、底面１１ａの四隅にそれぞれ突起部１７が、下面から更に下側へ向かって突出した状態にして設けられている。したがって、ストッカー本体１１の底面１１ａは、突起部１７の高さ分だけ床面から持ち上がり、これに伴いレジ袋取り出し口１６も床面から突起部１７の高さ分だけ持ち上げられた位置に設けられた状態になっている。なお、突起部１７は必ずしも設けなくてもよい。
【００２２】
図６は、蓋体１２側の構成を示している。図１から図５に図６を加えて蓋体１２側の構成を説明すると、蓋体１２は、ストッカー本体１１の開口１４を閉成状態にして、ストッカー本体１１の上部に取り付けられるものである。蓋体１２の下面(内側面)１２ｂ側には、押圧バネ体１３が取り付けられている。
【００２３】
押圧バネ体１３は、合成樹脂材で、左右方向に蓋体１２の左右幅寸法の略２分の１程の幅を有して、図２、図６に示すように幅広の板状材として成形されている。また、図２から図４、図６に示すように、押圧バネ体１３は、蓋体１２の下面１２ｂに接着剤等で固定して取り付けられた取付座部１３ａと、取付座部１３ａの前端側から垂下された押さえバネ部１３ｂを一体に有してる。また、押さえバネ部１３ｂは、中間部分１３ｃから前方に向かって湾曲され、さらに下端部分１３ｄで下方に向かって湾曲され、図３に示すように蓋体１２がストッカー本体１１に取り付けられた状態では、下側先端１３ｅがレジ袋取り出し口１６の近傍に配置されるようになっている。
【００２４】
このように構成されたレジ袋ストッカー１０の動作を説明する。図３は、レジ袋５０がストッカー本体１１のレジ袋収容空間１５内に収容されてない時の状態を示している。この時には、ストッカー本体１１に蓋体１２が下面１２ｂを下側にして、また開口１４を閉じた状態にして取り付けられ、蓋体１２がストッカー本体１１にバックル１８で掛け止め固定されている。
【００２５】
ストッカー本体１１にレジ袋５０を収容する場合は、まず、バックル１８による掛け止めを外し、次いで、蓋体１２をストッカー本体１１から取り外してストッカー本体１１の開口１４を開く。そして、ストッカー本体１１のレジ袋収容空間１５内にレジ袋５０を収容する。
【００２６】
ここでのレジ袋５０は、図７に示すように折り畳んで収納するのが好ましい。まず、図７の（ａ）に示すように空のレジ袋５０を平たく一枚のシート状に折り畳む。次いで、レジ袋５０の本体部５０ａの左右両側の側部５０ｂを点線６１の部分（折り畳み線）で各々内側（上側）に折り曲げ、左右両側の側部５０ｂを本体部５０ａの上に折り畳む。次いで、レジ袋５０の取手部５０ｃを点線６２の部分（折り畳み線）で各々内側（上側）に折り曲げ、取手部５０ｃを左右両側の側部５０ｂの上から本体部５０ａ上に折り畳む。図７の（ｂ）は、その折り畳み後の状態を示している。折り畳み後の状態は、図７の（ｂ）中に示す折り畳み後のレジ袋５０の前後方向の長さＬ１が図５の（ａ）中に示すレジ袋収容空間の前後方向の長さＳ１よりも若干小さく、図７の（ｂ）中に示す折り畳み後のレジ袋５０の左右方向の長さＬ２が図５の（ａ）中に示すレジ袋収容空間の左右方向の長さＳ２よりも若干小さくなり、折り畳み後のレジ袋５０が、底面１１ａ上に載置できるようになる。
【００２７】
そして、図７の（ｂ）に示すように折り畳んだレジ袋５０は、レジ袋５０の底部５０ｄをレジ袋取り出し口１６側に向けるとともに、底部５０ｄをレジ袋取り出し口１６に露出させて、レジ袋収容空間１５の底面１１ａ上に順次、積み重ねて収容される。
【００２８】
また、レジ袋収容空間１５の下面（底面）１１ａ上に、任意の枚数のレジ袋５０が収容されたら、蓋体１２をストッカー本体１１に取り付け、ストッカー本体１１の開口１４を閉じ、その後、バックル１８で蓋体１２をストッカー本体１１にロックする。この状態では、図４に示すように、蓋体１２の下面１２ｂに設けられている押圧バネ体１３の下端部分１３ｄ及び下側先端１３ｅが、積み重ねられている一番上のレジ袋５０に当接して、積み重ねられている全てのレジ袋５０に底面１１ａ側に向かう押圧力Ｐを付与する。この押圧力Ｐは、レジ袋収容空間１５内に積み重ねられたレジ袋５０がレジ袋取り出し口１６から不用意に飛び出るのを防止する役目を有する。
【００２９】
したがって、このレジ袋ストッカー１０では、レジ袋収容空間１５内に積み重ねられているレジ袋５０を再利用する時には、ストッカー本体１１のレジ袋取り出し口１６に露出している一番下のレジ袋５０を、外部から指で摘まんで引き出す。すると、図４中に２点鎖線で示すレジ袋５０のように、レジ袋取り出し口１６からレジ袋ストッカー１０の外側へ一枚ずつ引き出して使用することができる。なお、一枚のレジ袋５０が引き出された後は、押圧バネ体１３の押圧力Ｐで、次のレジ袋５０が順次下側に移動され、レジ袋取り出し口１６に露出する。
【００３０】
すなわち、本考案に係るレジ袋ストッカー１０では、ストッカー本体１１の天面の開口１４を閉じている蓋体１２を外し、家庭内に持ち帰ったレジ袋５０をストッカー本体１１内に、順に上下に重ねて収容し、その後、蓋体１２でストッカー本体１１の開口１４を再び閉じると、綺麗な形でレジ袋５０を保管しておくことができる。また、レジ袋５０を再利用する時には、ストッカー本体１１内に収容されているレジ袋５０を、蓋体１２を開けずに、レジ袋取り出し口１６から一枚ずつ引き出して使用することができる。したがって、保管時の見栄えがよく、また、レジ袋５０の取り出し作業も簡単になる。
【００３１】
また、レジ袋取り出し口１６に対応してレジ袋５０の底部５０ｄを積層配置し、押圧バネ体１３の押さえバネ部１３ｂがレジ袋の５０の底部５０ｄ周辺に押し付けられた状態にして、積み重ねられている全てのレジ袋５０に底面１１ａ側に向かう押圧力Ｐを付与するようにしているので、レジ袋収容空間１５内に積み重ねられたレジ袋５０がレジ袋取り出し口１６から不用意に飛び出るのを防止することができる。
【００３２】
また、ストッカー本体１１と蓋体１２との間に、蓋体１２をストッカー本体１１に解除可能に掛け止め固定する掛け止め手段としてのバックル１８を設けているので、蓋体１２はレジ袋５０をストッカー本体１１内に入れる時等にだけ開け、それ以外は掛け止め手段によりしっかりと閉じておくことができる。
【００３３】
また、ストッカー本体１１と蓋体１２は、透明又は半透明の樹脂材で成形されているので、ストッカー本体１１内に収容されているレジ袋５０の積載枚数の量を、外側から簡単に知ることができる。
【００３４】
また、ストッカー本体１１と蓋体１２は、一体化された構造であってもよい。その場合、ストッカー１０のストッカー本体１１の側面に、レジ袋５０をレジ袋収容空間１５内に収容する開口を設ける。
【００３５】
図８から図１０は本考案に係るレジ袋ストッカー１０の第２実施例を示すものであり、図８はそのレジ袋ストッカー１０の外観斜視図、図９はレジ袋５０を収容してない状態で示す図８のＢ−Ｂ線断面図、図１０はレジ袋５０を収容している状態で示す図１のＢ−Ｂ線断面図である。
【００３６】
図８から図１０において、レジ袋ストッカー１０は、ストッカー本体１１と、蓋体１２と、蓋体１２の内面側に取り付けられている押圧バネ体１３、等で構成されている。また、ストッカー本体１１と蓋体１２は、透明又は半透明の樹脂材で一体に成形されている。ストッカー本体１１と蓋体１２は、成形時に、ストッカー本体１１と蓋体１２のそれぞれ互いに対応する一辺（本実施例では、ストッカー本体１１の左側面１１ｅ）側の隣接部分に、図９に示すように、薄肉状にして形成されたヒンジ６３が設けられる。このヒンジ６３は、ストッカー本体１１に対する蓋体１２の回動支点となり、蓋体１２がストッカー本体１１の天面（上面）の開口１４を閉じる位置（図８及び図９、図１０に実線で示す位置）と、天面の開口１４を開く位置（図９中に２点鎖線で示す位置）に、それぞれ択一的に切り換え配置できるようになっている。また、図示しないが、蓋体１２とストッカー本体１１との間には、蓋体１２が天面の開口１４を閉じた時、蓋体１２とストッカー本体１１との間を解除可能にロックするロック機構が設けられている。
【００３７】
図８から図１０に示すように、ストッカー本体１１は、開口１４を設けて天面が解放されていると共に、底面１１ａと前後の側面１１ｂ、１１ｃと左右の側面１１ｄ、１１ｅが各々閉じられ、内部にレジ袋収容空間１５を設けて概略直方体状の箱体として形成されている。また、ストッカー本体１１の底面１１ａには、押圧バネ体１３が固定して取り付けられている。
【００３８】
蓋体１２は、上面１２ａの中央部に、レジ袋収容空間１５内に積層収容されているレジ袋５０を外部（レジ袋ストッカー１０の外側）から引き出すための貫通孔として、ストッカー１０の天面に相当している蓋体１２の上面１２ａの一部を切欠して形成された、矩形状のレジ袋取り出し口１６が設けられている。
【００３９】
押圧バネ体１３は、図１から図６に示す第１実施例の場合と同様に、合成樹脂材であり、左右方向に蓋体１２の左右幅寸法の略２分の１程の幅を有して幅広の板状材として成形されている。また、図９及び図１０に示すように、押圧バネ体１３は、ストッカー本体１１の底面１１ａに接着剤等で固定して取り付けられた取付座部１３ａと、取付座部１３ａの後端側から上方（開口１４側）に立ち上がった押さえバネ部１３ｂを一体に有してる。また、押さえバネ部１３ｂは、中間部分１３ｃから前方に向かって湾曲され、さらに上端部分１３ｆで斜め下方に向かって湾曲され、図９に示すように蓋体１２がストッカー本体１１の開口１４を閉じた状態では、上端部分１３ｆがレジ袋取り出し口１６の略真下に配置されるようになっている。
【００４０】
このように構成されたレジ袋ストッカー１０の動作を説明する。図９は、レジ袋５０がストッカー本体１１のレジ袋収容空間１５内に収容されてない時の状態を示している。また、蓋体１２がストッカー本体１１の開口１４を閉じて閉ロックされている。
【００４１】
ストッカー本体１１のレジ袋収容空間１５にレジ袋５０を収容する場合は、まず、蓋体１２とストッカー本体１１との間の閉ロックを外し、ヒンジ６３を支点にして蓋体１２を開口側に回転させて、ストッカー本体１１の開口１４を開く。図９中に２点鎖線で示す蓋体１２は、その開いた状態を示している。そして、ストッカー本体１１のレジ袋収容空間１５内にレジ袋５０を収容する。
【００４２】
ここでのレジ袋５０は、第１実施例の場合と同様、図７に示すように折り畳んで、押圧バネ体１３の上方からレジ袋収容空間１５内に水平にして、上下方向に積み重ねるようにして収納するのが好ましい。また、レジ袋収容空間１５内にレジ袋５０を水平にして積み重ねると、レジ袋５０の重みで押圧バネ体１３を下方に撓ませながら収容される。
【００４３】
また、レジ袋収容空間１５内に任意の枚数のレジ袋５０が収容されたら、蓋体１２を閉じ方向に回転させて、ストッカー本体１１の開口１４を蓋体１２で閉じると共に、ストッカー本体１１と蓋体１２の間を閉ロックする。この状態では、図１０に示すように、レジ袋収容空間１５内に収容された任意の枚数のレジ袋５０は、蓋体１２のレジ袋取り出し口１６の真下に位置される。
【００４４】
そして、このようにしてレジ袋収容空間１５内に積み重ねられているレジ袋５０を再利用する時には、ストッカー本体１１のレジ袋取り出し口１６に露出している一番上のレジ袋５０を指で摘まんで引き出すと、図８中に２点鎖線で示すレジ袋５０のように、レジ袋取り出し口１６から一枚ずつ引き出して使用することができる。
【００４５】
すなわち、第２の実施例に係るレジ袋ストッカー１０の場合も、ストッカー本体１１の天面の開口１４を閉じている蓋体１２を開き、家庭内に持ち帰ったレジ袋５０をストッカー本体１１内に、順に上下に積み重ねて収容し、その後、蓋体１２を再び閉じると、ストッカー本体１１のレジ袋収容空間１５内に綺麗な形でレジ袋５０を保管しておくことができる。また、レジ袋５０を再利用する時には、ストッカー本体１１内に収容されているレジ袋５０を、蓋体１２を開けずに、レジ袋取り出し口１６から一枚ずつ引き出して使用することができる。したがって、保管時の見栄えがよく、また、レジ袋５０の取り出し作業も簡単になる。
【００４６】
また、レジ袋５０押圧バネ体１３の上から積み重ねているので、押さえバネ部１３ｂが積み重ねられている全てのレジ袋５０にレジ袋取り出し口１６（蓋体１２）側に押圧力Ｐを付与しているので、常に、レジ袋５０はレジ袋取り出し口１６の直ぐ内側に配置されているので、レジ袋５０の取り出しも簡単にできる。
【００４７】
また、ストッカー本体１１と蓋体１２は、透明又は半透明の樹脂材で成形されているので、ストッカー本体１１内に収容されているレジ袋５０の積載枚数の量を、外側から簡単に知ることができる。
【００４８】
なお、本考案は、上記実施形態に限定されるものではなく、本考案の目的を達成できる範囲での変形、改良等は本考案に含まれものである。
【符号の説明】
【００４９】
１０      レジ袋ストッカー
１１      ストッカー本体
１１ａ    底面
１１ｂ、１１ｃ  前後の側面
１１ｄ、１１ｅ  左右の側面
１２      蓋体
１２ａ    上面
１２ｂ    下面
１２ｃ    前端部
１３      押圧バネ体
１３ａ    取付座部
１３ｂ    押さえバネ部
１３ｃ    中間部分
１３ｄ    下端部分
１３ｅ    下側先端
１３ｆ    上端部分
１３ｇ    上側先端
１４      開口
１５      レジ袋収容空間
１６      レジ袋取り出し口
１７      突起部
１８      バックル（掛け止め手段）
５０      レジ袋
５０ａ    本体部
５０ｂ    左右両側の側部
５０ｃ    取手部
５０ｄ    底部
６１、６２    点線（折り畳み線）
６３      ヒンジ
Ｓ１  レジ袋収容空間の前後方向の長さ
Ｓ２  レジ袋収容空間の左右方向の長さ
Ｌ１  折り畳み後のレジ袋の前後方向の長さ
Ｌ２  折り畳み後のレジ袋の左右方向の長さ
Ｐ      押圧力
【図１】
0003207883.tif 000003
【図２】
0003207883.tif 000004
【図３】
0003207883.tif 000005
【図４】
0003207883.tif 000006
【図５】
0003207883.tif 000007
【図６】
0003207883.tif 000008
【図７】
0003207883.tif 000009
【図８】
0003207883.tif 000010
【図９】
0003207883.tif 000011
【図１０】
0003207883.tif 000012